(57)【要約】【課題】長尺紙に画像形成を行う画像形成装置において、プリント準備時に長尺紙の変形や変色するのを防止できる画像形成装置を提供することを目的とする。【解決手段】画像形成装置１は、少なくとも画像形成装置本体１Ｂの入口から出口までの長さを有する長尺紙を搬送可能な用紙搬送部５０と、長尺紙にトナー像を転写する画像形成部４０と、転写されたトナー像を定着する加熱部材を有する定着部６０と、定着部の温度を検知する温度検知手段６７と、画像形成部４０によってトナー像を長尺紙に転写することなく画像形成装置本体１Ｂの入口から出口まで長尺紙先端を搬送させる時に、温度検知手段６７によって検知された定着部の温度が第１の所定温度より高い場合には、長尺紙先端を定着部内へ搬送することを禁止するように用紙搬送部５０を制御する制御部８０と、を備える。【選択図】図５
2016071002.tif 000002
【特許請求の範囲】
【請求項１】
少なくとも画像形成装置本体の入口から出口までの長さを有する長尺紙を搬送可能な用紙搬送部と、
長尺紙にトナー像を転写する画像形成部と、
前記転写されたトナー像を定着する加熱部材を有する定着部と、
前記定着部の温度を検知する温度検知手段と、
前記画像形成装置本体の入口、前記画像形成部、前記定着部、前記画像形成装置本体の出口の順に、長尺紙を搬送するように前記用紙搬送部を制御する制御部と、
を備える画像形成装置において、
前記制御部は、
前記画像形成部によってトナー像を長尺紙に転写することなく前記画像形成装置本体の入口から出口まで長尺紙先端を搬送させる時に、
前記温度検知手段によって検知された前記定着部の温度が第１の所定温度より高い場合には、長尺紙先端を前記定着部内へ搬送することを禁止する
ように前記用紙搬送部を制御する
ことを特徴とする画像形成装置。
【請求項２】
前記制御部は、
ジョブ予約に関する情報であるジョブ予約情報を確認し、
前記確認したジョブ予約情報に基づいて前記第１の所定温度を設定または変更する
ことを特徴とする請求項１に記載の画像形成装置。
【請求項３】
前記ジョブ予約情報はジョブ予約の有無である
ことを特徴とする請求項２に記載の画像形成装置。
【請求項４】
前記制御部は、
長尺紙の紙種、厚さ、幅の少なくとも一つに基づいて前記第１の所定温度を設定または変更する
ことを特徴とする請求項１から３のいずれか一項に記載の画像形成装置。
【請求項５】
前記用紙搬送部は、
少なくとも前記画像形成装置本体の入口から出口まで長尺紙先端を自動搬送する自動搬送手段を有し、
前記制御部は、
前記定着部の温度が前記第１の所定温度より高い場合に、前記自動搬送手段によって自動搬送を開始させるための搬送指示の受け付けを停止する
ことを特徴とする請求項１から４のいずれか一項に記載の画像形成装置。
【請求項６】
前記用紙搬送部は、
前記定着部より上流側の用紙搬送路中の用紙の有無を検知する用紙検知手段を有し、
前記制御部は、
前記定着部の温度が前記第１の所定温度より高い場合に、前記用紙検知手段によって用紙があることを検知すると、長尺紙先端の搬送を禁止する
ことを特徴とする請求項１から５のいずれか一項に記載の画像形成装置。
【請求項７】
前記用紙搬送部は、
前記定着部より上流側の用紙搬送路中に用紙の搬送を遮断する用紙搬送遮断部材を有し、
前記制御部は、
前記定着部の温度が前記第１の所定温度より高い場合に、前記用紙搬送遮断部材によって用紙の搬送を遮断する
ことを特徴とする請求項１から６のいずれか一項に記載の画像形成装置。
【請求項８】
前記制御部から入力された信号に基づいて情報を表示する表示部をさらに備え、
前記制御部は、
前記定着部の温度が前記第１の所定温度より高い場合に、長尺紙先端を搬送しないようユーザーに促す警告を前記表示部に表示することにより長尺紙先端の搬送を禁止する
ことを特徴とする請求項１から７のいずれか一項に記載の画像形成装置。
【請求項９】
前記制御部は、
前記定着部内に長尺紙先端の搬送を禁止した後、前記定着部の温度が第２の所定温度以下になると、長尺紙先端の搬送を再開または開始させる
ことを特徴とする請求項１から８のいずれか一項に記載の画像形成装置。
【発明の詳細な説明】
【技術分野】
【０００１】
本発明は、長尺紙に画像を形成する電子写真方式の画像形成装置に関する。
【背景技術】
【０００２】
一般に、電子写真プロセス技術を利用した画像形成装置において、画像データに基づくレーザー光が、一様に帯電した感光体に対して照射（露光）されることにより、感光体表面に静電潜像が形成される。そして、静電潜像が形成された感光体にトナーが供給されることにより、静電潜像が可視化されてトナー像が形成される。このトナー像が、直接または中間転写体を介して間接的に用紙に転写された後、定着部で加熱、加圧されることにより、用紙に画像が形成される。
【０００３】
このような画像形成装置において、定着部の熱により用紙ダメージ（例えば、用紙の変形や変色、用紙上の画像欠陥）が生じることが問題となっている。
【０００４】
特許文献１に記載されている画像形成装置は、定着部を構成する加圧部材の温度を予め定められた温度範囲内に調節することにより用紙上の画像欠陥を抑制するものである。
【先行技術文献】
【特許文献】
【０００５】
【特許文献１】特開２０１０−７９０８６号公報
【発明の概要】
【発明が解決しようとする課題】
【０００６】
しかしながら、画像が形成される用紙としてロール紙のような画像形成装置本体の入口から出口にまたがる長尺紙が用いられる場合、出口側で長尺紙を巻き取るため、画像形成を行う前に、画像形成装置本体の入口から出口へ長尺紙を通す作業（プリント準備）が必要となる。この際に、定着部が実際に定着可能な温度にある状態で定着部内へ長尺紙が搬送されると、長尺紙先端が定着部に巻付く、プリント準備が完了してから画像形成が開始されるまでの間、長尺紙が定着部内に停滞し、定着部により長尺紙へ熱が伝達され続けることにより変色や変形が生じる等の問題があった。
【０００７】
以上の事情に鑑み、本発明は、長尺紙に画像形成を行う画像形成装置において、プリント準備時の定着部巻付きや、画像形成開始までの長尺紙の変形や変色するのを防止できる画像形成装置を提供することを目的とする。
【課題を解決するための手段】
【０００８】
上記目的を達成するために、本発明の様態は、少なくとも画像形成装置本体の入口から出口までの長さを有する長尺紙を搬送可能な用紙搬送部と、長尺紙にトナー像を転写する画像形成部と、転写されたトナー像を定着する加熱部材を有する定着部と、定着部の温度を検知する温度検知手段と、画像形成装置本体の入口、画像形成部、定着部、画像形成装置本体の出口の順に、長尺紙を搬送するように用紙搬送部を制御する制御部と、を備える画像形成装置において、制御部は、画像形成部によってトナー像を長尺紙に転写することなく画像形成装置本体の入口から出口まで長尺紙先端を搬送させる時に、温度検知手段によって検知された定着部の温度が第１の所定温度より高い場合には、長尺紙先端を定着部内へ搬送することを禁止するように用紙搬送部を制御することを特徴とする画像形成装置であることを要旨とする。ここで、定着部内とは、定着部の中の空間を含む。また、手動による搬送も用紙搬送部の搬送に含む。
【発明の効果】
【０００９】
本発明によれば、長尺紙に画像形成を行う画像形成装置において、プリント準備時に定着部の温度が高い状態であれば長尺紙先端の搬送を禁止するので、長尺紙に熱が伝達されることによって生じる変色や変形を防ぐことができ、プリント準備を良好に実施することができる。
【図面の簡単な説明】
【００１０】
【図１】本発明の実施形態に係る画像形成装置を示す図である。
【図２】画像形成装置本体の全体構成を示す図である。
【図３】画像形成装置本体の制御系の主要部を示す図である。
【図４】定着部の構成の一例を示す図である。
【図５】本発明の第１の実施形態に係るプリント準備処理を示すフローチャートである。
【図６】本発明の第１〜第６の実施形態に係る警告メッセージを示す図である。
【図７】本発明の第２の実施形態に係るプリント準備処理を示すフローチャートである。
【図８】本発明の第３の実施形態に係るプリント準備処理を示すフローチャートである。
【図９】本発明の第３の実施形態に係る表示部を示す図である。
【図１０】本発明の第４の実施形態に係るプリント準備処理を示すフローチャートである。
【図１１】本発明の第４の実施形態に係る用紙検知センサーの位置を示す図である。
【図１２】本発明の第５の実施形態に係るプリント準備処理を示すフローチャートである。
【図１３】本発明の第６の実施形態に係るプリント準備処理を示すフローチャートである。
【図１４】本発明の第６の実施形態に係るシャッターを示す図である。
【図１５】本発明の第６の実施形態に係るニップを示す図である。
【発明を実施するための形態】
【００１１】
以下、本発明の実施形態を図面に基づいて詳細に説明する。
まず、すべての実施形態に共通する画像形成装置１の構成について説明し、その後、それぞれの実施形態についてフローチャートを用いて説明する。
図１は、本発明の実施形態に係る画像形成装置１を示す図である。
図１に示す画像形成装置１は、給紙装置１Ａ、画像形成装置本体１Ｂ、および巻取装置１Ｃを備える。
【００１２】
給紙装置１Ａは、例えばロール紙や連続用紙等の長尺紙を収容し、画像形成装置本体１Ｂからの指示に従って長尺紙を給紙する。画像形成装置本体１Ｂは、給紙装置１Ａから給紙された長尺紙に画像を形成する。巻取装置１Ｃは、画像形成装置本体１Ｂによって画像が形成され、送出された長尺紙を巻き取る。
【００１３】
図２は、画像形成装置本体１Ｂの全体構成を示す図である。図３は、画像形成装置本体１Ｂの制御系の主要部を示す図である。
【００１４】
図２、３に示す画像形成装置本体１Ｂは、電子写真プロセス技術を利用した中間転写方式のカラー画像形成装置である。画像形成装置本体１Ｂには、Ｙ（イエロー）、Ｍ（マゼンタ）、Ｃ（シアン）、Ｋ（ブラック）の４色に対応する感光ドラム４１３を中間転写ベルト４２１の走行方向（鉛直方向）に直列配置し、中間転写ベルト４２１に各色トナー像を順次転写させる縦型タンデム方式が採用されている。すなわち、画像形成装置本体１Ｂは、感光ドラム４１３上に形成されたＹＭＣＫの各色トナー像を中間転写ベルト４２１に一次転写し、中間転写ベルト４２１上で４色のトナー像を重ね合わせた後、用紙に二次転写することにより、画像を形成する。
【００１５】
図２、３に示すように、画像形成装置本体１Ｂは、操作表示部２０、画像処理部３０、画像形成部４０、用紙搬送部５０、定着部６０、および制御部８０を備える。
【００１６】
制御部８０は、ＣＰＵ８１、ＲＯＭ８２、ＲＡＭ８３等を備える。ＣＰＵ８１は、ＲＯＭ８２または記憶部７２から処理内容に応じたプログラムを読み出してＲＡＭ８３に展開し、展開したプログラムと協働して、画像形成装置本体１Ｂの各ブロック、給紙装置１Ａ、および巻取装置１Ｃの動作を制御する。
【００１７】
通信部７１は、例えばネットワークカード、モデム、ＵＳＢ等の各種インターフェースを有する。記憶部７２は、例えば不揮発性の半導体メモリ（いわゆるフラッシュメモリ）やハードディスクドライブで構成される。記憶部７２には、例えば各ブロックの動作を制御する際に参照されるルックアップテーブルが格納される。
【００１８】
制御部８０は、通信部７１を介して、ＬＡＮ、ＷＡＮ等の通信ネットワークに接続された外部の装置（例えばパーソナルコンピューター）との間で各種データの送受信を行う。制御部８０は、例えば、外部の装置から送信されたページ記述言語（ＰＤＬ）による画像データ（入力画像データ）を受信し、これに基づいて用紙に画像を形成させる。また、制御部８０は、通信部７１を介して、給紙装置１Ａおよび巻取装置１Ｃとの間で各種データの送受信を行う。
【００１９】
操作表示部２０は、例えばタッチパネル付の液晶ディスプレイ（ＬＣＤ）で構成され、表示部２１および操作部２２として機能する。
【００２０】
表示部２１は、制御部８０から入力される表示制御信号に従って、各種操作画面、各機能の動作状況等の表示を行う。また、ユーザーによるタッチ操作を受け付けて、操作信号を制御部８０に出力する。
【００２１】
操作部２２は、テンキー、スタートキー等の各種操作キーを備え、ユーザーによる各種入力操作を受け付けて、操作信号を制御部８０に出力する。ユーザーは、操作表示部２０を操作して、画質設定および、倍率設定、応用設定、出力設定、用紙設定などの画像形成に関する設定および用紙搬送指示を行うことができる。
【００２２】
画像処理部３０は、入力画像データに対して、初期設定またはユーザー設定に応じたデジタル画像処理を行う回路等を備える。例えば、画像処理部３０は、制御部８０の制御下で、階調補正データ（階調補正テーブル）に基づいて階調補正を行う。また、画像処理部３０は、入力画像データに対して、色補正、シェーディング補正等の各種補正処理や、圧縮処理等を施す。これらの処理が施された画像データに基づいて、画像形成部４０が制御される。
【００２３】
画像形成部４０は、入力画像データに基づいて、Ｙ成分、Ｍ成分、Ｃ成分、Ｋ成分の各有色トナーによる画像を形成するための画像形成ユニット４１および中間転写ユニット４２等を備える。
【００２４】
画像形成ユニット４１は、Ｙ成分用、Ｍ成分用、Ｃ成分用、Ｋ成分用の４つの画像形成ユニット４１Ｙ、４１Ｍ、４１Ｃ、４１Ｋで構成される。画像形成ユニット４１Ｙ、４１Ｍ、４１Ｃ、４１Ｋは、同様の構成を有するので、図示および説明の便宜上、共通する構成要素は同一の符号で示すこととする。図２では、Ｙ成分用の画像形成ユニット４１Ｙの構成要素についてのみ符号が付され、その他の画像形成ユニット４１Ｍ、４１Ｃ、４１Ｋの構成要素についての符号は省略されている。
【００２５】
画像形成ユニット４１は、露光装置４１１、現像装置４１２、感光ドラム４１３、帯電装置４１４、およびドラムクリーニング装置４１５等を備える。
【００２６】
感光ドラム４１３は、例えばアルミニウム製の導電性円筒体（アルミ素管）の周面に、アンダーコート層（ＵＣＬ）、電荷発生層（ＣＧＬ）、電荷輸送層（ＣＴＬ）を順次積層した負帯電型の有機感光体（ＯＰＣ）である。電荷発生層は、電荷発生材料（例えばフタロシアニン顔料）を樹脂バインダー（例えばポリカーボネイト）に分散させた有機半導体からなり、露光装置４１１による露光を受けて一対の正電荷と負電荷を発生する。電荷輸送層は、正孔輸送性材料（電子供与性含窒素化合物）を樹脂バインダー（例えばポリカーボネート樹脂）に分散させたものからなり、電荷発生層で発生した正電荷を電荷輸送層の表面まで輸送する。
【００２７】
帯電装置４１４は、例えばスコロトロン帯電装置やコロトロン帯電装置等のコロナ放電発生器で構成される。帯電装置４１４は、コロナ放電によって感光ドラム４１３の表面を一様に負極性に帯電させる。
【００２８】
露光装置４１１は、例えば複数の発光ダイオード（ＬＥＤ）が直線状に配列されたＬＥＤアレイ、個々のＬＥＤを駆動するためのＬＰＨ駆動部（ドライバーＩＣ）、およびＬＥＤアレイからの放射光を感光ドラム４１３上に結像させるレンズアレイ等を有するＬＥＤプリントヘッドで構成される。ＬＥＤアレイの１つのＬＥＤが、画像の１ドットに対応する。制御部８０がＬＰＨ駆動部を制御することにより、ＬＥＤアレイに所定の駆動電流が流され、特定のＬＥＤが発光する。
【００２９】
露光装置４１１は、感光ドラム４１３に対して各色成分の画像に対応する光を照射する。感光ドラム４１３の電荷発生層で発生した正電荷が電荷輸送層の表面まで輸送されることにより、感光ドラム４１３の表面電荷（負電荷）が中和される。これにより、感光ドラム４１３の表面には、周囲との電位差により各色成分の静電潜像が形成される。
【００３０】
現像装置４１２は、各色成分の現像剤（例えばトナーと磁性キャリアーとからなる二成分現像剤）を収容しており、感光ドラム４１３の表面に各色成分のトナーを付着させることにより静電潜像を可視化してトナー像を形成する。具体的には、現像剤担持体（現像ローラー）に現像バイアス電圧が印加され、感光ドラム４１３と現像剤担持体との電位差によって現像剤担持体上の帯電トナーが感光ドラム４１３の表面の露光部に移動し、付着する。
【００３１】
ドラムクリーニング装置４１５は、感光ドラム４１３の表面に摺接されるドラムクリーニングブレード等を有し、一次転写後に感光ドラム４１３の表面に残存する転写残トナーを除去する。
【００３２】
中間転写ユニット４２は、中間転写ベルト４２１、一次転写ローラー４２２、複数の支持ローラー４２３、二次転写ローラー４２４、およびベルトクリーニング装置４２６等を備える。
【００３３】
中間転写ベルト４２１は無端状ベルトで構成され、複数の支持ローラー４２３にループ状に張架される。複数の支持ローラー４２３のうちの少なくとも一つは駆動ローラーで構成され、その他は従動ローラーで構成される。例えば、Ｋ成分用の一次転写ローラー４２２よりもベルト走行方向下流側に配置される支持ローラー４２３が駆動ローラーであることが好ましい。駆動ローラーが回転することにより、中間転写ベルト４２１は矢印Ａ方向に一定速度で走行する。
【００３４】
一次転写ローラー４２２は、各色成分の感光ドラム４１３に対向して、中間転写ベルト４２１の内周面側に配置される。中間転写ベルト４２１を挟んで、一次転写ローラー４２２が感光ドラム４１３に圧接されることにより、感光ドラム４１３から中間転写ベルト４２１へトナー像を転写するための一次転写ニップが形成される。
【００３５】
二次転写ローラー４２４は、複数の支持ローラー４２３のうちの一つに対向して、中間転写ベルト４２１の外周面側に配置される。中間転写ベルト４２１に対向して配置される支持ローラー４２３はバックアップローラーと呼ばれる。中間転写ベルト４２１を挟んで、二次転写ローラー４２４がバックアップローラーに圧接されることにより、中間転写ベルト４２１から用紙へトナー像を転写するための二次転写ニップが形成される。
【００３６】
一次転写ニップを中間転写ベルト４２１が通過する際、感光ドラム４１３上のトナー像が中間転写ベルト４２１に順次重ねて一次転写される。具体的には、一次転写ローラー４２２に一次転写バイアスを印加し、中間転写ベルト４２１の裏面側（一次転写ローラー４２２と当接する側）にトナーと逆極性の電荷を付与することにより、トナー像は中間転写ベルト４２１に静電的に転写される。
【００３７】
その後、用紙が二次転写ニップを通過する際、中間転写ベルト４２１上のトナー像が用紙に二次転写される。具体的には、二次転写ローラー４２４に二次転写バイアスを印加し、用紙の裏面側（二次転写ローラー４２４と当接する側）にトナーと逆極性の電荷を付与することにより、トナー像は用紙に静電的に転写される。トナー像が転写された用紙は定着部６０に向けて搬送される。
【００３８】
ベルトクリーニング装置４２６は、中間転写ベルト４２１の表面に摺接するベルトクリーニングブレード等を有し、二次転写後に中間転写ベルト４２１の表面に残留する転写残トナーを除去する。
【００３９】
なお、中間転写ユニット４２において、二次転写ローラー４２４に代えて、二次転写ローラーを含む複数の支持ローラーに、二次転写ベルトがループ状に張架された構成（いわゆるベルト式の二次転写ユニット）を採用してもよい。
【００４０】
定着部６０は、用紙の定着面（トナー像が形成されている面）側に配置される定着面側部材を有する上側定着部６１、用紙の裏面（定着面の反対の面）側に配置される裏面側支持部材を有する下側定着部６２、定着面側部材を加熱する加熱源６３、裏面側支持部材を定着面側部材に対して圧接する圧接離間部６４、定着部温度を検出する定着部温度検出部６７等を備える。
定着面側部材の例は、定着ローラー、定着ベルト等である。裏面側支持部材の例は、加圧ローラー、加圧ベルト等である。
【００４１】
加熱源６３は、定着面側部材の内部または近傍に配置される。制御部８０によって加熱源６３の出力が制御されることにより、定着面側部材が加熱され、定着部温度がトナー像定着のために必要な温度となる。制御部８０は、定着面側部材に近接して配置される定着部温度検出部６７の検出結果に基づいて加熱源６３の出力を制御する。
【００４２】
また、制御部８０によって圧接離間部６４の動作が制御され、定着面側部材に裏面側支持部材が圧接されることにより、用紙を狭持して搬送する定着ニップが形成される。トナー像が二次転写され、通紙経路に沿って搬送されてきた用紙は、定着ニップを通過する際に加熱、加圧される。これにより、用紙にトナー像が定着する。
【００４３】
用紙搬送部５０は、給紙部５１、排紙部５２、および通紙経路部５３等を備える。
給紙部５１は、給紙装置１Ａから搬送された長尺紙を通紙経路部５３へ導く。
通紙経路部５３は、中間搬送ローラー部、ループローラー部、およびレジストローラー部を含む複数の搬送ローラー部を備える。通紙経路部５３は、給紙部５１から給紙された長尺紙を画像形成部４０（二次転写部）、定着部６０、排紙部５２の順に搬送する。
排紙部５２は、通紙経路部５３から搬送された長尺紙を巻取装置１Ｃへ導く。
図４は、定着部６０の構成の一例を示す図である。図４には、定着面側部材が定着ローラー６１１で構成され、裏面側支持部材が加圧ローラー６２１で構成される場合について示している。
【００４４】
以下では、長尺紙先端を定着部６０内に搬送することを禁止する制御部８０による処理を複数の実施形態において説明する。
前提として、画像形成部４０により画像が形成される前に、給紙装置１Ａから通紙経路部５３を介して巻取装置１Ｃまで長尺紙を通す必要がある（プリント準備）。プリント準備は、用紙搬送部５０によって自動で行ってもよいし、手動で行ってもよい。
【００４５】
プリント準備の後、画像形成部４０により画像が形成される際、給紙装置１Ａから巻取装置１Ｃまで通された長尺紙が搬送される。そして、二次転写ニップを通過する際、中間転写ベルト４２１上のトナー像が長尺紙の第１面（定着面）に一括して二次転写され、定着部６０において定着処理が施される。画像が形成された長尺紙は、排紙ローラー等を備えた排紙部５２により機外に排紙され、巻取装置１Ｃによって巻き取られる。
【００４６】
画像形成装置１がプリント準備を行う時や待機状態にある時、定着部温度は、長尺紙に変色や変形が生じない程度の温度に保持され、長尺紙に変色や変形が生じない状態にあることが望ましい。
この時制御部は、定着ローラー６１１の温度を、定着部温度検出部６７の検出結果に基づいて加熱源６３の出力を制御することにより長尺紙に変色や変形が生じない閾値温度以下に保持する。
【００４７】
しかし、直前の画像形成がジャム等の異常により中止される、または、長尺紙の長さが不足している（用紙切れ）等の場合、通紙経路部５３に残った長尺紙が除かれ、新たな長尺紙を通すプリント準備を行う必要がある。長尺紙を除いた直後にプリント準備を行う場合は、定着部温度が閾値温度よりも高い状態になることがある。
【００４８】
このような状態でプリント準備を行うと、長尺紙が変色したり変形したりする原因となる。また、プリント準備後、画像が形成されるまでの待機状態時に、定着部６０の熱が吸収され長尺紙の変色や変形が起こる原因となる。
この問題への対策として、長尺紙を搬送させ続け、長尺紙へ熱が伝わりにくくさせる方法があるが、長尺紙に画像が形成されない無駄な部分が生じ、コスト面での問題が生じる。
【００４９】
そこで、本発明の実施形態では、定着部温度が閾値温度よりも高い場合には、長尺紙先端を定着部６０内に搬送することを禁止する。これにより、プリント準備時や待機状態にある時に、長尺紙の変色や変形が起こることを防止できる。
【００５０】
以下の実施形態において、プリント準備処理はプリント準備が開始されることに伴い、制御部８０が記憶部に格納されている所定のプログラムを実行することにより実現される。プリント準備が終了すると、搬送された長尺紙に画像を形成できる状態となる。
【００５１】
以下の実施形態では、プリント準備時は定着ローラー６１１と加圧ローラー６２１とは離間状態にある。また、閾値温度は記憶部に予め設定されたものを用いる。さらに、閾値温度は、フィルムの長尺紙を定着部６０内に搬送した場合に、長尺紙に用紙ダメージが生じない温度である。
【００５２】
（第１の実施形態）
図５は、本発明の第１の実施形態を説明するフローチャートである。図５を参照して、第１の実施形態を説明する。
ステップＳ１０１において、制御部８０は、記憶部に記憶されているジョブ予約情報を確認し、ジョブ予約があるか否かを判断する。ここで、ジョブ予約情報とは、ジョブ予約に関する情報である。
【００５３】
ジョブ予約がある場合（ステップＳ１０１で“ＹＥＳ”）、制御部８０は、長尺紙の搬送を許可するか否かの判断に関する閾値温度を上げる（ステップＳ１０２）。なお、ジョブが予約されている場合は、長尺紙が定着部６０内で待機状態となる時間が短いため、定着部６０から伝えられる熱の影響が少ない。
【００５４】
ステップＳ１０３において、制御部８０は、定着部温度と閾値温度とを比較し、定着部温度が閾値温度以下であるか否かを判断する。
定着部温度が閾値温度より高い場合（ステップＳ１０３で“ＮＯ”）、制御部８０は、表示部２１に警告を表示させる（ステップＳ１０４）。図６に警告メッセージの一例を示す。
【００５５】
警告が表示された後、制御部８０は、定着部温度が閾値温度以下であるか否かを再び判断する（ステップＳ１０５）。
定着部温度が閾値温度以下になると（ステップＳ１０５で“ＹＥＳ”）、制御部８０は、表示部２１に表示された警告を消させ（ステップＳ１０６）、用紙搬送部５０が長尺紙を搬送するのを許可し、用紙搬送部５０を長尺紙の搬送が開始できる状態にさせる（ステップＳ１０７）。
【００５６】
ステップＳ１０８において、制御部８０は、用紙搬送部５０による長尺紙の搬送を開始させる。用紙搬送部５０による長尺紙の搬送は、搬送ローラーによって自動で行わせてもよいし、ユーザーが長尺紙を手動で搬送させてもよい。
ステップＳ１０９において、制御部８０は、用紙搬送部５０による長尺紙の搬送を終了する。
【００５７】
また、ステップＳ１０１においてジョブ予約がない場合（ステップＳ１０１で“ＮＯ”）、処理はステップＳ１０３に移行する。この場合、制御部８０は、閾値温度を変更せずに、定着部温度と閾値温度とを比較し、定着部温度が閾値温度以下であるか否かを判断する。
【００５８】
本発明の第１の実施形態においては、プリント準備時に定着部温度が閾値温度より高い場合、長尺紙先端の搬送を禁止するので、長尺紙に熱が伝達されることによって生じる変色や変形を防ぐことができ、プリント準備を良好に実施することができる。
【００５９】
さらに、ジョブが予約されている場合に閾値温度を高く設定できるので、長尺紙に変形や変色を生じさせずにウォームアップにかかる時間を短くすることができる。また、定着部温度を下げる場合と比較して、ウォームアップのために消費する電力を抑えることができる。ここで、ウォームアップとは、定着を行うのに必要な温度まで定着部温度を上げる動作を表す。
【００６０】
第１の実施形態では、ジョブ予約情報はジョブ予約の有無であったが、次のジョブが開始されるまでの時間やジョブの種類であってもよいし、これらの情報（ジョブ予約の有無を含む）のうち２つ以上を組み合わせたものであってもよい。その場合は、ジョブ予約の有無だけを確認する場合よりも適切な閾値温度に設定または変更することができる。
また、定着部温度が閾値温度より高い場合、表示部２１に警告を表示させるので、ユーザーは、警告表示を見ることで、長尺紙の搬送が行えないことを容易に知ることができる。
【００６１】
（第２の実施形態）
図７は、本発明の第２の実施形態を説明するフローチャートである。図７を参照して、第２の実施形態を説明する。
【００６２】
ステップＳ２０１において、制御部８０は、搬送しようとする用紙種類がフィルムであるか否かを判断する。
ここで、フィルムとは、例えば、ポリプロピレン（ＰＰ）やポリエチレンテレフタレート（ＰＥＴ）等の樹脂を原料とする用紙である。
フィルムは、搬送時に定着ローラーに巻きついたり、搬送後定着部６０内に停滞すると融解、変形したりするという問題があり、普通紙よりも低い温度でもこれらの問題が生じる。
【００６３】
用紙種類がフィルムである場合（ステップＳ２０１で“ＹＥＳ”）、処理はステップＳ２０３に移行する。
用紙種類がフィルムでない場合（ステップＳ２０１で“ＮＯ”）、制御部８０は、用紙搬送を許可するか否かの判断に関する閾値温度を上げる（ステップＳ２０２）。
【００６４】
用紙種類がフィルムでない場合は、熱に対する耐久性が強く、フィルムの用紙と比較して、用紙の変形や変色といった問題が生じにくい。そのため、定着部６０から普通紙に伝えられる熱が変形や変色などの悪影響を与えない程度に閾値温度を上げることができる。
ステップＳ２０３〜Ｓ２０９における制御部８０の処理は、第１の実施形態のステップＳ１０３〜Ｓ１０９と同様であるので、説明を省略する。
【００６５】
本発明の第２の実施形態においては、用紙種類がフィルムでない場合は閾値温度を高く設定できるので、定着を行うのに必要な温度まで定着部温度を上げるウォームアップにかかる時間を短くすることができる。また、定着部温度を下げる場合と比較して、ウォームアップのために消費する電力を抑えることができる。
言い換えると、用紙種類がフィルムである場合は閾値温度を低く設定するので、フィルムが定着ローラーに巻きついたり、搬送後定着部６０内に停滞すると融解、変形したりすることを防止することができる。
【００６６】
また、第２の実施形態では紙種がフィルムであるか否かにより閾値温度を変更したが、フィルム以外の紙種に基づいて閾値温度を設定または変更してもよいし、長尺紙の紙種のみならず厚さや幅等に基づいて閾値温度を設定または変更してもよい。そうすることにより、長尺紙の熱に対する耐久性に応じて最適な閾値温度に設定または変更することができる。
【００６７】
さらに、定着部６０温度が閾値温度より高い場合、表示部２１に警告を表示させるので、ユーザーは、警告表示を見ることで、長尺紙の搬送が行えないことを容易に知ることができる。
【００６８】
（第３の実施形態）
図８は、本発明の第３の実施形態を説明するフローチャートである。図８を参照して、第３の実施形態を説明する。
第３の実施形態に係る画像形成装置は、長尺紙先端を自動搬送可能な用紙搬送部５０と、長尺紙先端を自動搬送させるための搬送指示を行う用紙搬送ボタンを表示部２１に備えている。
【００６９】
用紙搬送ボタンは、図９に示すように表示部２１に表示され、ユーザーによる搬送指示を受け付ける。搬送指示を受け付けると、制御部８０は、用紙搬送部５０に自動搬送を行わせる。ここで、自動搬送は、給紙装置１Ａから巻取装置１Ｃまで自動で搬送する構成であってもよい。
【００７０】
ステップＳ３０１において、制御部８０は、定着部温度と閾値温度とを比較し、定着部温度が閾値温度以下であるか否かを判断する。
定着部温度が閾値温度以下である場合（ステップＳ３０１で“ＹＥＳ”）、処理はステップＳ３０６に移行する。
【００７１】
定着部温度が閾値温度より高い場合（ステップＳ３０１で“ＮＯ”）、制御部８０は、用紙搬送ボタンを選択できない状態にする（ステップＳ３０２）。用紙搬送ボタンを選択できないようにする方法としては、例えば、用紙搬送ボタンの色をグレーにし、ユーザーによる押下を受け付けないようにしてもよいし、用紙搬送ボタンを表示部２１から消去してもよい。
【００７２】
ステップＳ３０３において、制御部８０は、表示部２１に警告を表示させる。
警告が表示された後、制御部８０は、定着部温度が閾値温度以下であるか否かを再び判断する（ステップＳ３０４）。
【００７３】
定着部温度が閾値温度以下になると（ステップＳ３０４で“ＹＥＳ”）、制御部８０は、表示部２１に表示された警告を消させ（ステップＳ３０５）、用紙搬送ボタンを選択可能とする（ステップＳ３０６）。ユーザーによる用紙搬送ボタンの選択を受けて、用紙搬送部５０に用紙搬送を開始させることができる状態になる。
ステップＳ３０７において、制御部８０は、用紙搬送ボタンが選択されたか否かを判断する。
【００７４】
用紙搬送ボタンが選択された場合（ステップＳ３０７で“ＹＥＳ”）、制御部８０は、用紙搬送部５０に長尺紙の搬送を開始させる（ステップＳ３０８）。
ステップＳ３０９において、制御部８０は、用紙搬送部５０に長尺紙の搬送を終了させる。
【００７５】
本発明の第３の実施形態においては、定着部温度が閾値温度より高い場合に、用紙搬送ボタンを選択できないようにするので、ユーザーが用紙搬送ボタンを選択しようとしても用紙搬送ボタンを選択することができず、自動搬送の開始を防ぐことができる。
【００７６】
第３の実施形態では、プリント準備開始時に用紙搬送ボタンは選択可能であるが、プリント準備開始時に用紙搬送ボタンを選択不可としてもよい。その場合も定着部温度が閾値温度以下になったとき選択可能にすることで、定着部温度が閾値温度より高い場合は、自動搬送を開始させるための搬送指示の受け付けを停止し、長尺紙先端を自動搬送しないようにすることができる。
【００７７】
また、用紙搬送ボタンを選択不可とするかわりに、用紙搬送ボタンが選択されても制御部８０は処理を実行しないとしてもよく、その場合も同様の効果が得られる。
さらに、定着部温度が閾値温度より高い場合、表示部２１に警告を表示させるので、ユーザーは、警告表示を見ることで、長尺紙の搬送が行えないことを容易に知ることができる。
【００７８】
（第４の実施形態）
図１０は、本発明の第４の実施形態を説明するフローチャートである。図１０を参照して、第４の実施形態を説明する。
第４の実施形態に係る画像形成装置は、定着部６０より上流側の用紙搬送路中の用紙の有無を検知する用紙検知センサー５４ａを備えている。ここで、上流側とは、定着部６０より画像形成装置本体１Ｂの入口側を表す。
【００７９】
用紙検知センサー５４ａは、図１１に示すように、定着部６０より上流側の用紙搬送路中に設けられ、用紙の有無を検知し、その情報を制御部８０に伝える。
ステップＳ４０１において、制御部８０は、用紙搬送ボタンが選択されたか否かを判断する。
【００８０】
用紙搬送ボタンが選択された場合（ステップＳ４０１で“ＹＥＳ”）、制御部８０は、用紙搬送部５０に用紙搬送を開始させる（ステップＳ４０２）。
ステップＳ４０３において、制御部８０は、定着部温度と閾値温度とを比較し、定着部温度が閾値温度以下であるか否かを判断する。
定着部温度が閾値温度以下である場合（ステップＳ４０３で“ＹＥＳ”）、処理はステップＳ４１０に移行する。
【００８１】
定着部温度が閾値温度より高い場合（ステップＳ４０３で“ＮＯ”）、制御部８０は、用紙検知センサー５４ａが長尺紙を検知しているか否かを判断する（ステップＳ４０４）。
【００８２】
用紙検知センサー５４ａが用紙を検知している場合（ステップＳ４０４で“ＹＥＳ”）、制御部８０は、用紙搬送部５０に長尺紙の搬送を停止させる（ステップＳ４０５）。長尺紙は、用紙検知センサー５４ａの近傍で停止される。用紙検知センサー５４ａが定着部６０より上流側にあるので、長尺紙は定着部６０より上流側で搬送を停止される。その後、制御部８０は、表示部２１に警告を表示させる（ステップＳ４０６）。
ステップＳ４０７において、制御部８０は、再び定着部温度と閾値温度とを比較し、定着部温度が閾値温度以下であるか否かを判断する。
【００８３】
定着部温度が閾値温度より高い場合（ステップＳ４０７で“ＮＯ”）、制御部８０は、定着部温度が閾値温度以下になるまで、長尺紙の搬送を停止させたままにする。
定着部温度が閾値温度以下である場合（ステップＳ４０７で“ＹＥＳ”）、処理は表示部２１の警告表示を消し（ステップＳ４０８）、用紙搬送部５０に長尺紙の搬送を再開させる（ステップＳ４０９）。
ステップＳ４１０において、制御部８０は、用紙搬送部５０に長尺紙の搬送を終了させる。
【００８４】
第４の実施形態においては、定着部温度が閾値温度より高い場合に自動搬送を行った際に、用紙検知センサー５４ａが長尺紙を検知すると定着部６０より前で搬送を停止させるので、長尺紙が変形したり、変色したりすることを防ぐことができる。また、自動で搬送が停止されるので、ユーザーが定着部温度が高いことを把握していなくても定着部６０より前で搬送を停止させることができる。
【００８５】
第４の実施形態では、制御部８０による判断はステップＳ４０３で行ったが、ステップＳ４０２の用紙搬送開始より前に行ってもよいし、ステップＳ４０１の用紙搬送ボタンの選択より前に行ってもよい。これらの場合、判断の結果、定着部温度が閾値温度以下である場合は、用紙搬送開始の後、搬送をいったん停止させることなく用紙搬送を終了し、定着部温度が閾値温度より高い場合は、用紙検知センサー５４ａにより長尺紙が検知されるといったん定着前で搬送を停止し、定着部温度が閾値温度以下になるまで待機させる。
【００８６】
また、用紙検知センサー５４ａの位置は、定着部６０の直前（例えば、画像形成部４０より下流側）が好ましい。定着部６０の直前で用紙搬送を停止させておくと、用紙搬送を再開した場合に定着部６０および画像形成装置本体１Ｂの出口まで搬送する時間が短くなり、プリント準備にかかる時間を短くすることができる。
【００８７】
さらに、定着部温度が閾値温度より高い場合、表示部２１に警告を表示させるので、ユーザーは、警告表示を見ることで、長尺紙の搬送が行えないことを容易に知ることができる。
【００８８】
（第５の実施形態）
図１２は、第５の実施形態を説明するフローチャートである。図１２を参照して、第５の実施形態を説明する。
第５の実施形態に係る画像形成装置は、定着部６０より上流側の用紙搬送路中の用紙の有無を検知する用紙検知センサー５４ｂを備えている。
【００８９】
用紙検知センサー５４ｂは、図１１に示すように給紙部５１に長尺紙先端をセットされたか否かを検知し、その情報を制御部８０に伝える。
ステップＳ５０１において、制御部８０は、画像形成装置本体１Ｂの入口に長尺紙先端がセットされているか否かを判断する。
【００９０】
長尺紙先端がセットされると（ステップＳ５０１で“ＹＥＳ”）、制御部８０は、定着部温度が閾値温度以下か否かを判断する（ステップＳ５０２）。
定着部温度が閾値温度より高い場合（ステップＳ５０２で“ＹＥＳ”）、処理はステップＳ５０６に移行する。
【００９１】
定着部温度が閾値温度以下である場合（ステップＳ５０２で“ＮＯ”）は、制御部８０は、表示部２１に警告を表示させる（ステップＳ５０３）。警告が表示された後、制御部８０は、定着部温度が閾値温度以下であるか否かを再び判断する（ステップＳ５０４）。
【００９２】
定着部温度が閾値温度以下になると（ステップＳ５０４で“ＹＥＳ”）、制御部８０は、表示部２１に警告表示を消させる（ステップＳ５０５）。
ステップＳ５０６において、制御部８０は、用紙搬送部５０に用紙搬送を開始させる。
ステップＳ５０７において、制御部８０は、用紙搬送部５０に用紙搬送を終了させる。
【００９３】
第５の実施形態においては、定着部温度が閾値温度より高い場合に自動搬送を行った際に、用紙検知センサー５４ｂが長尺紙先端のセットを検知すると用紙搬送を開始させないので、長尺紙が変形したり、変色したりすることを防ぐことができる。
【００９４】
さらに、定着部温度が閾値温度より高い場合、表示部２１に警告を表示させるので、ユーザーは、長尺紙先端をセットした時に警告表示を見ることで、長尺紙の搬送が行えないことを容易に知ることができる。
【００９５】
（第６の実施形態）
図１３は、第６の実施形態を説明するフローチャートである。図１３を参照して、第６の実施形態を説明する。
第６の実施形態に係る画像形成装置は、用紙搬送部５０の定着部６０より上流側に用紙搬送遮断部材を備えている。
【００９６】
用紙搬送遮断部材の例として、図１４にシャッター５５を、図１５にニップ５６をそれぞれ示す。
【００９７】
第６の実施形態は、長尺紙の搬送を手動で行うものである。
ステップＳ６０１において、制御部８０は、定着部温度が閾値温度以下であるか否かを判断する。
定着部温度が閾値温度より高い場合（ステップＳ６０１で“ＮＯ”）、制御部８０は、用紙搬送遮断部材に長尺紙先端の搬送を遮断させ（ステップＳ６０２）、表示部２１に警告を表示させる（ステップＳ６０３）。
用紙搬送遮断後、制御部８０は、定着部温度が閾値温度以下であるか否かを再び判断する（ステップＳ６０４）。
【００９８】
定着部温度が閾値温度以下になると（ステップＳ６０４で“ＹＥＳ”）、制御部８０は、表示部２１に警告表示を消させ（ステップＳ６０５）、用紙搬送遮断を解除する（ステップＳ６０６）。用紙搬送遮断が解除されると、長尺紙の搬送が可能となる。
【００９９】
ステップＳ６０７において、制御部８０は、用紙搬送部５０に用紙搬送を開始させる。
ステップＳ６０８において、制御部８０は、用紙搬送部５０に用紙搬送を終了させる。
第６の実施形態においては、定着部温度が閾値温度より高い場合に、ユーザーは長尺紙を搬送しようとしても、用紙搬送遮断部材によって長尺紙の搬送が遮断されているので、長尺紙を搬送することができず、定着部６０内に長尺紙先端が搬送されることを防ぐことができる。
【０１００】
また、用紙搬送部５０が自動搬送手段を有する場合に、第５の実施形態のように搬送を禁止しても、手動で長尺紙を入れることが可能である。第６の実施形態では、用紙搬送を遮断しているので、このような場合でも定着部６０への長尺紙の搬送を禁止することができる。
【０１０１】
第６の実施形態では、用紙搬送を開始する前にステップＳ６０１〜ステップＳ６０６を行っているが、用紙搬送を先に開始していてもよい。
【０１０２】
第１〜第６の実施形態では、第１の所定温度と第２の所定温度とをフィルムの長尺紙を搬送する場合に基づいて閾値温度として設定したが、普通紙を搬送する場合に基づいて設定してもよい。
【０１０３】
また、第１の所定温度と第２の所定温度とを同一の温度（閾値）としたが、第１の所定温度と第２の所定温度とが異なっていてもよい。
【０１０４】
本実施形態では、自然放熱により定着部温度が下がるのを待つが、定着ローラーまたは加圧ローラーに冷却風を送るファンを設け、ファンによって冷却風を送り、強制的に定着部温度を下げてもよい。
【符号の説明】
【０１０５】
１  画像形成装置
１Ａ  給紙装置
１Ｂ  画像形成装置本体
１Ｃ  巻取装置
２０  操作表示部
３０  画像処理部
４０  画像形成部
５０  用紙搬送部
６０  定着部
６１  上側定着部
６１１  定着ローラー（定着面側部材）
６２  下側定着部
６２１  加圧ローラー（裏面側支持部材）
６３  加熱源
６４  圧接離間部
８０  制御部
【図１】
2016071002.tif 000003
【図２】
2016071002.tif 000004
【図３】
2016071002.tif 000005
【図４】
2016071002.tif 000006
【図５】
2016071002.tif 000007
【図６】
2016071002.tif 000008
【図７】
2016071002.tif 000009
【図８】
2016071002.tif 000010
【図９】
2016071002.tif 000011
【図１０】
2016071002.tif 000012
【図１１】
2016071002.tif 000013
【図１２】
2016071002.tif 000014
【図１３】
2016071002.tif 000015
【図１４】
2016071002.tif 000016
【図１５】
2016071002.tif 000017